(57)【要約】【課題】焙煎されたコーヒーからのコーヒー香気成分の損失を低減させる容器および容器システムを提供すること。【解決手段】この容器は、プラスチック材料の積層物でできた壁を有する本体を含む。この本体の中には、香気成分を自然に放出する焙煎コーヒーが入れられる。この積層物は、外側層ないし構造層と薄い内側バリヤ層とを含み、内側バリヤ層は、焙煎コーヒーにごく接近して位置するかまたは焙煎コーヒーと接触している。この本体は、香気成分の約３０％未満の香気保持効果（ＡＲＥ）を有する。外側プラスチック層はＨＤＰＥ、内側バリヤ層はＥＶＯＨ、焙煎コーヒーは、焙煎され挽かれた新しいコーヒーまたは焙煎された全コーヒー豆であることが好ましい。香気成分の損失を低減させる方法も開示される。この方法によれば、外側層と内側バリヤ層とを含む容器ユニットの本体が製作される。【選択図】図２
2008056352.tif 000002
【特許請求の範囲】
【請求項１】
プラスチック材料の積層物でできた壁を有する本体と、
香気性ガスおよび油を自然に放出する、前記本体の中に入れられたある量の焙煎コーヒーと
を含み、
前記積層物は、外側層と付着した内側バリヤ層とを含み、前記内側バリヤ層は、前記ある量の焙煎コーヒーと接触しており、
前記本体は約３０％未満のＡＲＥを有する
ことを特徴とする容器システム。
【請求項２】
前記内側バリヤ層はＥＶＯＨであることを特徴とする請求項１に記載の容器システム。
【請求項３】
前記本体の前記ＡＲＥは約２０％未満であることを特徴とする請求項２に記載の容器システム。
【請求項４】
前記ある量の焙煎コーヒーは、焙煎され挽かれた新しいコーヒーであることを特徴とする請求項１に記載の容器システム。
【請求項５】
前記外側プラスチック層は、約３０〜７０ミル（０．７６〜１．７８ｍｍ）の厚さを有するＨＤＰＥであり、前記ＥＶＯＨ層は、約０．３〜２．０ミル（０．００７６２〜０．０５０８ｍｍ）の厚さを有することを特徴とする請求項２に記載の容器システム。
【請求項６】
前記本体は全厚を有し、前記外側プラスチック層は、前記全厚の約９６．７５％の厚さを有し、前記ＥＶＯＨ層は、前記全厚の約１．５％の厚さを有し、容器システムはさらに、前記外側プラスチック層と前記ＥＶＯＨ層の間に、前記全厚の約１．７５％の厚さを有するタイ層を含むことを特徴とする請求項２に記載の容器システム。
【請求項７】
香気の吸収に抵抗する容器であって、
香気成分を放出する焙煎コーヒー製品と、
本体を形成する積層壁材料と
を含み、前記積層壁材料は、
前記容器を構造的に形成し、外部環境から前記コーヒー製品を最初に保護する役目を果たす構造プラスチック層と、
前記外側プラスチック層の内側を覆い、前記焙煎コーヒー製品のごく接近して位置するＥＶＯＨから形成され、前記香気成分が自体の内部へ入ること、したがって前記香気成分が前記構造プラスチック層によって吸収されること実質的に防ぐ十分な厚さを有する薄いバリヤ層と
を含み、
その結果、前記焙煎コーヒー製品によって放出された前記香気成分は前記積層壁材料によって実質的に吸収されず、その代わりに、前記焙煎コーヒー製品によって保持されることが助長される
ことを特徴とする容器。
【請求項８】
前記ＥＶＯＨ層は、前記焙煎コーヒー製品と接触しており、前記本体は約３０％未満のＡＲＥを有することを特徴とする請求項７に記載の容器。
【請求項９】
前記ＥＶＯＨ層は薄い付着層で覆われていることを特徴とする請求項７に記載の容器。
【請求項１０】
前記構造プラスチック層は約３０〜７０ミル（０．７６〜１．７８ｍｍ）の厚さを有し、前記ＥＶＯＨ層は約０．３〜２．０ミル（０．００７６〜０．０５０８ｍｍ）の厚さを有し、前記薄い付着層は約０．５〜１．５ミル（０．０１３〜０．０３８ｍｍ）の厚さを有することを特徴とする請求項９に記載の容器。
【請求項１１】
前記薄い付着層は、約１ミル（０．０３ｍｍ）の厚さを有するＨＤＰＥであることを特徴とする請求項１０に記載の容器。
【請求項１２】
前記外側プラスチック層はＨＤＰＥであることを特徴とする請求項７に記載の容器。
【請求項１３】
前記外側プラスチック層は、２つ以上のポリマー層の積層であることを特徴とする請求項７に記載の容器。
【請求項１４】
前記外側プラスチック層は、ＨＤＰＥとリグラインド樹脂との積層であることを特徴とする請求項１３に記載の容器。
【請求項１５】
焙煎コーヒー製品からのコーヒー香気成分の損失を低減させる方法であって、
普通ならば前記コーヒー香気成分の一部を吸収するであろう主プラスチック層を有する容器の本体を形成するステップであって、前記主プラスチック層の内側をバリヤ材料層で覆い、それによって前記バリヤ材料層が前記コーヒー製品のごく近くに隣接し、前記バリヤ材料層によって内側が覆われた前記容器の前記本体によってコーヒー香気成分が吸収されることを実質的に防ぎ、前記本体が約３０％未満のＡＲＥを有するようにするステップを含むステップと、
前記本体の中で前記焙煎コーヒー製品を貯蔵するステップと
を含むことを特徴とする方法。
【請求項１６】
コーヒー香気成分の損失を低減させる請求項１５に記載の方法であって、前記バリヤ材料層はＥＶＯＨから形成されることを特徴とする方法。
【請求項１７】
コーヒー香気成分の損失を低減させる請求項１６に記載の方法であって、前記焙煎コーヒー製品は前記ＥＶＯＨ層と接触した状態で貯蔵されることを特徴とする方法。
【請求項１８】
コーヒー香気成分の損失を低減させる請求項１５に記載の方法であって、前記バリヤ材料層を薄い付着層で覆うステップをさらに含むことを特徴とする方法。
【請求項１９】
コーヒー香気成分の損失を低減させる請求項１８に記載の方法であって、前記構造プラスチック層は約３０〜７０ミル（０．７６〜１．７８ｍｍ）の厚さを有するように形成され、前記ＥＶＯＨ層は約０．３〜２．０ミル（０．００７６〜０．０５０８ｍｍ）の厚さを有するように形成され、前記薄い付着層は約０．５〜１．５ミル（０．０１３〜０．０３８ｍｍ）の厚さを有するように形成されることを特徴とする方法。
【請求項２０】
コーヒー香気成分の損失を低減させる請求項１９に記載の方法であって、前記薄い付着層は、ＨＤＰＥから、約１ミル（０．０３ｍｍ）の厚さを有するように形成されることを特徴とする方法。
【請求項２１】
コーヒー香気成分の損失を低減させる請求項１７に記載の方法であって、前記外側プラスチック層はＨＤＰＥから形成されることを特徴とする方法。
【請求項２２】
コーヒー香気成分の損失を低減させる請求項１７に記載の方法であって、前記外側プラスチック層は、２つ以上のポリマー層の積層として形成されることを特徴とする方法。
【請求項２３】
コーヒー香気成分の損失を低減させる請求項２２に記載の方法であって、前記外側プラスチック層は、ＨＤＰＥとリグラインド樹脂との積層として形成されることを特徴とする方法。
【発明の詳細な説明】
【技術分野】
【０００１】
焙煎コーヒー（本明細書では、焙煎され挽かれた新しいコーヒー粒子または焙煎された全コーヒー豆と定義する）の容器は、他の容器では考慮されない多くの固有の要件を有する。例えば、焙煎コーヒーは貯蔵されている間にガスを放出し、また、空気によって有害な影響を受ける。したがって、焙煎コーヒーの容器は空気が入ることを防がなければならず、したがって気密性でなければならない。しかし、このような容器はさらに、圧力の増大に耐えるために適当に頑丈でなければならず、あるいは、容器の損傷（変形または破壊）を引き起こす圧力に到達する前に、蓄積したガスを排出しなければならない。焙煎コーヒーはさらに、こすれて容器に付着し、容器によって部分的に吸収されうる油をその表面に有し、したがってこの油は、消費される最終的なコーヒーの香気／風味に寄与することができない。
【０００２】
コーヒー容器は以前は一般に金属（容易に頑丈となり、気密性で、油を通さない）製であったが、現在では、新しいプラスチック容器、特に積層壁を有するプラスチック容器が、焙煎コーヒーを入れるのに適していることが分かっている。これらのオフガス（ｏｆｆ  ｇａｓ）および油がプラスチック容器を透過することを防ぐため、ＥＶＯＨ（エチレンビニルアルコール）などのバリヤ層を含むプラスチック積層物を使用して、プラスチック容器が形成された。ＥＶＯＨは、当技術分野において知られている特にＯ2ガスに対して適当なバリヤ層であり、ＥＶＯＨの水に対する感受性を考慮して、他の層と層の間に挟み込まれる。ＥＶＯＨ層をこれらの隣接層に固定するために、この挟み込みは、ＥＶＯＨ層の両側にタイ層（ｔｉｅ  ｌａｙｅｒ）を使用することを含む。
【発明の開示】
【発明が解決しようとする課題】
【０００３】
従来技術のプラスチック容器は普及しており、それらを通したオフガスおよび油の漏出を防ぐが、それらのプラスチック容器は、その中に入れられた焙煎コーヒーのオフガスおよび／または油を吸収しやすかった。このような吸収は、抽出されたコーヒーの風味および香気を低減させ、容器の内側に強い臭いを残す。したがって、本発明によれば、容器システム、具体的には、容器によって吸収される香気および風味成分を相当に低減させる容器が提供される。
【課題を解決するための手段】
【０００４】
具体的には、これらの容器または容器システムは、プラスチック材料の積層物でできた壁を有する本体を含む。この本体の中には、ガス、油などの香気成分を自然に放出するある量の焙煎コーヒーが入れられる。この積層物は、外側層と内側バリヤ層とを含み、内側バリヤ層は、このある量の焙煎コーヒーと接触している。この本体は、香気成分の約３０％未満の香気保持効果（ＡＲＥ）を有する。
【０００５】
内側バリヤ層はＥＶＯＨであることが好ましい。さらに、本体のＡＲＥが約２０％未満であること、および焙焼コーヒーが、焙煎され挽かれた新しいコーヒーまたは焙煎された全コーヒー豆であることが好ましい。
【０００６】
好ましい一実施形態では、外側プラスチック層が、約３０〜７０ミル（０．７６〜１．７８ｍｍ）の厚さを有するＨＤＰＥであり、ＥＶＯＨ層が、約０．３〜２．０ミル（０．００７６〜０．０５０８ｍｍ）の厚さを有する。好ましい他の実施形態では、本体が全厚を有する。外側プラスチック層は、全厚の約９６．７５％の厚さを有し、ＥＶＯＨ層は、全厚の約１．５％の厚さを有する。さらに、外側プラスチック層とＥＶＯＨ層の間に、全厚の約１．７５％の厚さを有するタイ層がある。
【０００７】
さらに、好ましい一実施形態では、ＥＶＯＨ層が、焙煎コーヒーにごく接近して位置する。緊密に接触した実施形態では、焙煎コーヒーと接触した薄い付着層が提供される。この薄い付着層は、厚さ約１ミル（０．０３ｍｍ）のＨＤＰＥであることが好ましく、外側層もＨＤＰＥであることが好ましい。所望ならば、外側プラスチック層を、ＨＤＰＥとリグラインド樹脂との積層などの、２つ以上のポリマー層の積層とすることもできる。
【０００８】
焙煎コーヒーからのコーヒー香気成分の損失を低減させる本発明に基づく方法では、普通ならばコーヒー香気成分の一部を吸収するであろう主プラスチック層を有する容器の本体を形成するステップが使用される。この形成ステップは、主プラスチック層の内側をバリヤ材料層で覆い、それによってバリヤ材料層が焙煎コーヒーのごく近くに隣接し、バリヤ材料層によって内側が覆われた容器の本体によってコーヒー香気成分が吸収されることを防ぐようにするステップを含む。したがって、本体は約３０％未満のＡＲＥを有する。次に、本体の中で焙煎コーヒーが貯蔵される。
【０００９】
この方法によれば、バリヤ材料層がＥＶＯＨから形成され、焙煎コーヒーがＥＶＯＨ層と接触した状態で貯蔵される。あるいは、バリヤ材料層に薄い付着層を提供するステップが使用される。
【００１０】
この方法の好ましい実施形態では、構造プラスチック層が約３０〜７０ミル（０．７６〜１．７８ｍｍ）の厚さを有するように形成され、ＥＶＯＨ層が約０．３〜２．０ミル（０．００７６〜０．０５０８ｍｍ）の厚さを有するように形成され、薄い付着層が約０．５〜１．５ミル（０．０１３〜０．０３８１ｍｍ）の厚さを有するように形成される。薄い付着層は、ＨＤＰＥから、約１ミル（０．０３ｍｍ）の厚さを有するように形成されることが好ましい。
【００１１】
さらに、この方法の好ましい実施形態では、外側プラスチック層がＨＤＰＥから形成される。あるいは、外側プラスチック層が、ＨＤＰＥとリグラインド樹脂との積層などの、２つ以上のポリマー層の積層として形成される。
【００１２】
本発明の１つの利点は、オフガスおよび油が容器によって吸収されることを防ぎ、その結果、焙煎コーヒーがより多くの香気成分を保持する焙煎コーヒーの容器が提供されることである。
【００１３】
現行の容器よりも２層少ない３層（タイ層を含む）だけを含む容器を製作することができ、その結果、原料費および資本費を引き下げることができることも本発明の利点である。
【００１４】
本発明のその他の特徴および利点は、以下で詳細に論じる現時点の本発明の好ましい実施形態の詳細な説明に述べられており、またはこの詳細な説明から明白である。
【発明を実施するための最良の形態】
【００１５】
図面を参照する。これらの複数の図の全体を通じて同様の符号は同様の要素を表す。本発明は、任意の形状のコーヒー容器に適用可能であり、したがって容器の実際の形状は本発明の部分を構成しない。しかし、本発明を説明するため、本明細書では、ある量の焙煎コーヒー１２を入れるための典型的な容器システム１０を説明し、図１に示す。焙煎コーヒー１２は、前述のとおり、焙煎され挽かれたコーヒーまたは焙煎された全豆と定義される。当技術分野の典型的な容器システム１０は、本体１４と、その下にある本体１４の上面開口（図示せず）の再封可能（ｒｅｐｌａｃｅａｂｌｅ）なふた１６と、輸送の間および消費者が焙煎コーヒー１２を使用する前に上面開口を密閉する剥離可能な箔層（図示せず）とを含むことが理解される。
【００１６】
容器システム１０では、本体１４が、４つの周囲側壁と、底面壁と、１つの（後部の）側壁に形成された取っ手１８と、中央の円形開口（これには、別個の取外し可能なふた１６が取外し可能に取り付けられる）を形成する上面２０とを含む。異なる符号で識別される本体１４の前述のいくつかの部分は全て、１回のブロー成形操作で一体に形成され、本体１４は全て、この実施形態に基づく図２〜４に描かれたそれらの断面図によって示されているように、プラスチック材料の積層壁から形成されることが理解される。
【００１７】
容器システム１０に充填された後、焙煎コーヒー１２は、香気性のオフガスおよび油を自然に放出し、そのため、このような香気成分は、輸送および貯蔵中、ならびに消費者によって容器システム１０が開けられた後に本体１４と接触することも理解される。このような香気成分は、その焙煎コーヒーから入れられた液体コーヒー飲料の味に対して有益であり、そのため、焙煎コーヒーからのこのような香気成分の損失をできる限り低減させることが望まれる。従来技術の容器におけるこのような香気成分の損失の１つの原因は、本体のプラスチック材料による吸収であり、これは、容器が空になったときに残る香気によってすでに明らかである。
【００１８】
この吸収、すなわち本体１４による香気成分の実質的な吸収を防ぐため、本発明の本体１４は、図２に示すように、外側層２２ａと内側バリヤ層２４ａとからなる一体の容器壁を有する中空積層構造物として形成される。外側層２２ａと内側バリヤ層２４ａは、薄いタイ層２８ａの使用によって一体に保持される。外側層２２ａは、本体１４の基礎構造構成部分を形成することが好ましく、外部環境から焙煎コーヒー１２を保護する役目を果たすことが好ましい。外側層２２ａは、ブロー成形されたＨＤＰＥ（高密度ポリエチレン）でできていると都合がよい。焙煎コーヒー１２から放出された香気成分が外側層２２ａによって吸収されることを防ぐため、内側バリヤ層２４ａは、図２に示されているように、外側層２２ａの内側を完全に覆う。内側バリヤ層２４ａは、ＥＶＯＨ（エチレンビニルアルコール）共重合体でできていると都合がよい。タイ層２８ａは、内側層２４ａが外側層２２ａに付着することを保証する付着材（ａｄｈｅｒｅｎｔ）またはコンパチビライザ（ｃｏｍｐａｔｉｂｉｌｉｚｅｒ）であり、タイ層２８ａは、Ｒｏｈｍ  ＆  Ｈａａｓ社によって製造されたＴＹＭＯＲなどからできていると都合がよい。
【００１９】
当技術分野では知られているとおり、ＥＶＯＨは、Ｏ2吸収を妨げる、プラスチック積層物のための良好なバリヤ層として機能するが、水または水分に対して感受性であることも知られている。そのため、このようなＥＶＯＨ層は、焙煎コーヒーの容器を含む多くの容器で使用されてはいるが、水分に対するＥＶＯＨの感受性のために、このようなプラスチック積層物の中間層としてしか使用されていない。しかし、本発明によれば、ＥＶＯＨ層は、オフガスと油の両方を含む香気成分の吸収に抵抗することも分かった。したがって、図２に示した本発明の好ましい一実施形態によれば、ＥＶＯＨが、焙煎コーヒー１２と接触する１次内側層２４ａとして使用される。ＥＶＯＨ内側層２４ａはしたがって、本体１４のどの部分でも香気成分の吸収がほとんどまたは全く起こらないことを保証し、したがって、焙煎コーヒー１２による香気成分の保持が促進されることを保証する。焙煎コーヒー１２が貯蔵されているこの位置では、水分または水にまつわる問題が生じないことが理解される。
【００２０】
外側層２２ａは本体１４の構造構成部分を形成するため、この好ましい実施形態によれば、外側層２２ａは、約３０〜７０ミル（０．７６〜１．７８ｍｍ）の厚さを有する。外側層２２ａがＨＤＰＥであり、外側層２２ａが全厚の約９６．７５％を構成することが好ましく、４０〜６０ミル（１．０〜１．５ｍｍ）であることが好ましく、約５０ミル（１．３ｍｍ）であることが最も好ましい。外側層２４ａに続いて、全厚の約１．７５％を構成するタイ層２８ａがある。最後に、内側層２４ａはＥＶＯＨであり、全厚の約１．５％を構成する。したがって、好ましい容器１４は、おおよそ前述の範囲内で希望に応じた全壁厚を有することができる。
【００２１】
図３に示す代替実施形態では、互いに結合した最も外側のバージンＨＤＰＥ層２３と、リグラインド樹脂（ｒｅｇｒａｉｎｄ  ｒｅｓｉｎ）から形成されたリグラインド層２５とからなる外側層２２ｂが提供される。内側バリヤＥＶＯＨ層２４ｂはタイ層２８ｂによってリグラインド層２５に接着される。内側バリヤ層２４ｂは、バリヤの働きをすることにしか関係しないため、ＥＶＯＨ内側層２４ｂの厚さは外側層２２ｂのそれよりも薄く、約０．３〜２．０ミル（０．００７６〜０．０５０８ｍｍ）である。好ましい一実施形態では、外側層２２ｂの厚さが約４８．２５ミル（１．２２６ｍｍ）、内側バリヤ層２４ｂの厚さが０．７５ミル（０．０１９ｍｍ）である。
【００２２】
図４および５に示す好ましい他の代替実施形態では、内側バリヤ層２４ｃが焙煎コーヒー１２のごく近くに隣接するが、この実施形態では、焙煎コーヒー１２が内側バリヤ層２４ｃと実際に直接に接触しないように、内側バリヤ層２４ｃ上に薄い付着層３２が配置される。付着層３２は、ＨＤＰＥ、ＬＤＰＥ、ポリプロピレンなどの適当な共重合体の薄いポリマー層であることが好ましい。付着層３２は、タイ層３４によって内側バリヤ層２４ｃに付着され、同様に、内側バリヤ層２４ｃは、タイ層２８ｃ（図５には便宜上示されていない）によって外側層２２ｃに付着される。付着層３２は、（従来の）箔膜３４を付着層３２に付着させるためのヒートシール性（ｈｅａｔ  ｓｅａｌａｂｉｌｉｔｙ）を提供するために使用され、この箔シール部材は本体１４の開いた上面を密閉する。
【００２３】
付着層３２は、図５に示すように、箔膜を付着させる開いた上面が、本体１４の外側に曲げられた上縁またはつば３６によって形成される場合にしか必要ないことが理解される。付着層３２がない場合には、内側バリヤ層２４ｃがこの縁またはつばの上層／最外層となり、内側バリヤ層２４ｃは一般に、自体に箔膜を付着させるのには適さない。薄い付着層３２の厚さは約０．５〜１．５ミル（０．０１３〜０．０３８ｍｍ）であり、約１ミル（０．０３ｍｍ）または本体１４の全厚の約３％であることが好ましい。薄い付着層３２によって少量の香気成分が吸収されるかもしれないが、付着層３２の薄さのため、このような吸収は無視できるであろう。その結果、内側バリヤ層２４ｃは、依然として焙煎コーヒー１２にごく接近して位置し、内側バリヤ層２４ｃを香気成分が透過すること、したがって本体１４の積層壁材料の大部分、すなわち外側（構造）層２２ｃの中へ香気成分が移動することを防ぐ役目を依然として果たすであろう。
【００２４】
ＥＶＯＨ内側層を使用する利点の一例を以下に示す。丸形試験ボトル２セットを用意した。これらのボトルの重量は約１８グラム、厚さは約２３ミル（０．５８ｍｍ）、容積は約４００ｍｌであった。一方の試験ボトルセットは、密度０．９５０グラム／ｃｃのＨＤＰＥ製であり、もう一方のセットも、同じ０．９５０グラム／ｃｃの密度を有するＨＤＰＥ製だが、さらに、壁厚の約３％のＥＶＯＨ内側層を有する。実際の包装条件をまねるためにそれぞれのタイプのボトルをＮ2でフラッシングし、このボトルに、新しいＯＲＩＧＩＮＡＬ  ＭＡＸＷＥＬＬ  ＨＯＵＳＥブレンドローストアンドグラウンド（ｂｌｅｎｄ  ｒｏａｓｔ  ａｎｄ  ｇｒｏｕｎｄ）コーヒーを充填した。それぞれのボトルを、スクリューキャップおよびパラフィルム（ｐａｒａｆｉｌｍ）で密封し、４０℃の恒温器に入れた。１週間貯蔵した後、標準ＧＣ／ＭＳ手順によってボトルを試験して、コーヒー香気の標準プロファイルの吸収量を決定した。結果を下表に示す。
【００２５】
【表１】
2008056352.tif 000003
【００２６】
上記の試験から、前述のＥＶＯＨバリヤ層を有するボトルは、ＰＥ層の約１６％しか吸収しなかったことが理解され、本明細書ではこれを、ボトル組成物の香気保持効果（Ａｒｏｍａ  Ｒｅｔｅｎｔｉｏｎ  Ｅｆｆｅｃｔｉｖｅｎｅｓｓ：ＡＲＥ）と定義する。したがって、本発明は、例えば前述の試験容器のように、容器の約３０％未満、好ましくは約２０％未満のＡＲＥを提供するように設計されることが理解される。
【００２７】
構造層２２は単一のＨＤＰＥ層として描かれているが、構造層２２は、構造本体１４を形成する他に目的を有する２つ以上のプラスチック材料層から形成することもできることも理解される。例えば、より薄い着色された層の後に、本来のＨＤＰＥ層を形成することもできる。
【００２８】
容器システム１０の以上の説明に沿って、本発明はさらに、焙煎コーヒーからのコーヒー香気成分の損失を低減させる方法を含むことが理解される。この方法は、普通ならばコーヒー香気成分の一部を吸収するであろう層２２ａなどの外側主プラスチック層を有する容器ユニット１０の本体１４を形成するステップから始まる。この形成ステップは次いで、この外側層の内側を、内側バリヤ層２４ａなどのバリヤ材料層で覆い、それによってこのバリヤ材料層が焙煎コーヒーのごく近くに隣接し、このバリヤ材料層によって内側が覆われた外側層によってコーヒー香気成分が吸収されることを防ぐようにするステップを含む。前述のとおり、このステップは、ブロー成形工程で実行することができ、主プラスチック層と内側バリヤ層の間にタイ層２８などのタイ層を含むことができる。したがって、本体は約３０％未満のＡＲＥを有する。最後に、本体の中に焙煎コーヒーが供給され、貯蔵される。
【００２９】
この方法では、バリヤ材料層がＥＶＯＨから形成されることが好ましく、焙煎コーヒーはＥＶＯＨ層と接触した状態で貯蔵されることが好ましい。あるいは、図５に示すように、バリヤ材料層に薄い付着層を提供するステップを含むこともできる。次いで、この本体形成ステップにおいて、つばまたは縁３６が形成される。
【００３０】
この方法のこの好ましい実施形態では、構造プラスチック層が約３０〜７０ミル（０．７６〜１．７８ｍｍ）の厚さを有するように形成され、ＥＶＯＨ層が約０．３〜２．０ミル（０．００７６〜０．０５０８ｍｍ）の厚さを有するように形成され、薄い付着層が約０．５〜１．５ミル（０．０１３〜０．０３８ｍｍ）の厚さを有するように形成される。存在する場合、この薄い付着層は、ＨＤＰＥから、約１ミル（０．０３ｍｍ）の厚さを有するように形成されることが好ましい。
【００３１】
この方法の好ましい一実施形態ではさらに、外側プラスチック層がＨＤＰＥから形成される。あるいは、この外側プラスチック層が、ＨＤＰＥとリグラインド樹脂との積層など、２つ以上のポリマー層の積層として形成される。
【００３２】
本発明の例示的な実施形態に関して本発明を説明してきたが、本発明の範囲および趣旨に含まれる変形および変更を実施することができることを当業者は理解されたい。
【図面の簡単な説明】
【００３３】
【図１】本発明に基づく容器システムの上面、右側面および背面透視図である。
【図２】図１に示された容器の本発明の第１の実施形態に基づく本体壁の一部分の拡大断面図である。
【図３】本発明の第２の実施形態に基づく図２と同様の図である。
【図４】本発明の第３の実施形態に基づく図２と同様の図である。
【図５】図４に示された第３の実施形態に基づく本体の縁の一部分の断面図である。
【図１】
2008056352.tif 000004
【図２】
2008056352.tif 000005
【図３】
2008056352.tif 000006
【図４】
2008056352.tif 000007
【図５】
2008056352.tif 000008
【外国語明細書】
2008056352000001.pdf